【事件の表示】
　平成　２年特許願第２３３２６０号「撮像記録再生装置」拒絶査定に対する審判事件［平成　４年　４月１５日出願公開、特開平　４−１１４５６８］について、次のとおり審決する。
【結　論】
　本件審判の請求は、成り立たない。
【理　由】
1． 手続の経緯・本願発明
　本願は、平成２年９月５日の出願であって、その請求項１に係る発明（以下「本願発明」という。）は、補正された明細書の記載からみて、特許請求の範囲の請求項１に記載された次のとおりのものと認める。
「ほぼ扁平な直方体形状のデッキ部と、長手方向の一方に撮像部、他方に光軸変更手段、前記撮像部と前記光軸変更手段との間にレンズブロックを配置したカメラ部と、長手方向の一方に表示部を備えたビューフアインダー部、及び、ほぼ扁平な直方体形状のバッテリー部を含み、
前記デッキ部の最も広い面から見て、前記デッキ部の周側面にその長手方向の一辺を接するように前記カメラ部を配置した撮像記録再生装置において、
前記光軸変更手段は、前記カメラ部が配置される前記デッキ部の周側面に垂直な方向から入射する入射光を屈曲させて前記撮像部に導くように配置され、
前記デッキ部は、最も広い面の一方に記録媒体を出し入れする開閉蓋を備え、他方の最も広い面にこの撮像記録再生装置を手で保持することが可能な保持部分を設け、
前記保持部分は、前記バッテリー部とビューフアインダー部とを含み、前記デッキ部の投影面積と略一致するように配置され、
前記光軸変更手段を前記撮像部の上方に位置させる撮影姿勢において、前記バッテリ部は前記他方の最も広い面の下部に配置され、前記ビューフアインダー部は前記他方の最も広い面の上部に配置され、
前記ビューフアインダー部は、その長手方向を前記入射光に沿って配置され、かつ前記表示部を前記光軸変更手段の反対側に位置するように設けられていることを特徴とする撮像記録再生装置。」
　
２．刊行物記載の発明
　これに対して、前置審査における拒絶の理由に引用された実願昭６０−７８８９６号（実開昭６１−１９５５９７号）のマイクロフィルム（以下「刊行物」という。）には、次の事項が記載されている。
（ア）「本考案によるカメラ一体型ＶＴＲは本体（１）とグリップ体（２）とに分離して構成されており、両者（１）及び（２）共にそれらの匣体（３）及び（４）は合成樹脂により形成されている。そして本体匣体（３）はほぼ直方体状に形成され、グリップ匣体（４）もほぼ直方体状をなすが、上面（４ｃ）より右側面（４ｆ）及び下面（４ｄ）にかけて、撮像者の右手の掌にちょうどなじむような曲面に形成されている。
　本体匣体（３）内にはカメラ部（５）及びＶＴＲ部（６）がそれぞれ収納されており、更に本体匣体（３）の前面（３ａ）の上部において形成された四角状の窓孔（８）に対向して、前面（３ａ）より僅かに後退した位置に窓枠（４７）が固定され、カメラ部（５）の対物レンズ（７）はこの窓枠（４７）に形成された窓枠（４７ａ）より外部に臨まされている。」（３頁１１行ないし４頁７行）
　　　　　　　　
（イ）「本体匣体（３）の上面（３ｃ）より左側面（３ｅ）にかけて、本体匣体（３）と同一輪郭となるように蓋体（１１）が取付けられており、これは、その下縁をヒンジとして本体匣体（３）に対して回動自在となされており、蓋体（１１）の開蓋状態で、ＶＴＲ部（６）のカセット装着部（図示せず）に対してテープカセット（図示せず）を着脱自在に装着できるように構成されている。
　一方、グリップ体（２）にあっては、そのグリップ匣体（４）内の上部において光学ビューファインダ(１２)が組込まれている。(１３)はその対物レンズであってグリップ匣体（４）の前面(４ａ)の上部において、これに形成された窓孔(１４)より外部に臨まされている。そしてこのグリップ匣体（４）の後面(４ｂ)の上端には弾性材料で形成されたいわゆるアイカップ(１５)が取付けられ、これには接眼レンズ(図示せず)が取付けられ、かくして対物レンズ(１３)より接眼レンズの間で光学系が形成され、光学ビューファインダ(１２)が構成されている。尚この光学ビューファインダ(１２)は、上述したカメラ部（５）の対物レンズによる光学系とは全く独立している。
　グリップ匣体（４）内にはバッテリ(１６)が着脱自在に収納される。(１７)はこのバッテリ(１６)の出入口であり、グリップ匣体（４）の前面(４ａ)に形成されている。又これよりバッテリを取出した状態では、この出入口(１７)を閉塞するように蓋体(１８)(第２図参照)が設けられており、バッテリを収納するときは、その先端で蓋体(１８)を押し開いてこれを内部に押し倒し、バッテリを抜き取ることによって蓋体(１８)が自動的に起き上がって出入口(１７)を閉じるように構成されている。」（４頁１７行ないし６頁８行）
　　
（ウ）「 以上説明した本考案によれば、カメラ一体型ＶＴＲに関して、その本体（１）と一般的にこの本体（１）の側面に形成されるグリップ体（２）とを互いに分離させて構成したので、この分離状態では全体の厚味がほゞ１／２程度に薄くなり、従って例えばアタッシュケースの如き厚味の比較的薄いケース内でも、本体（１）とグリップ体（２）とを互いに平面的に並べることにより充分収納することができ、従って非撮像時の携行に至便となる特徴を有する。
　勿論、撮像時には、両者（１）及び（２）のそれらの結合面を互いに接触させるようになすことにより、機械的に結合でき、バッテリ(１６)よりの電流を本体（１）内に供給して撮像即ち記録を行ない得る。」（１６頁１０行ないし１７頁３行）
　
　これらの記載事項及び図１ないし図４からみて、刊行物には、「ＶＴＲ部（６）とカメラ部（５）が収納されたほぼ扁平な直方体形状の本体（１）と、長手方向の一方に対物レンズ、他方に接眼レンズを備えたビューフアインダー（１２）、及び、ほぼ扁平な直方体形状のバッテリー（１６）を含み、
前記本体（１）の最も広い面から見て、前記本体（１）の周側部の前記カメラ部（５）の光入射部に対物レンズ（７）を配置したカメラ一体型ＶＴＲにおいて、
前記カメラ部（５）の対物レンズ（７）は、前記カメラ部が配置される前記本体（１）の周側面に垂直な方向から入射する入射光を撮像部に導くように配置され、
前記本体（１）は、最も広い面の一方に記録媒体を出し入れする開閉蓋体（１１）を備え、他方の最も広い面にこのカメラ一体型ＶＴＲを手で保持することが可能なグリップ体（４）を設け、
前記グリップ体（４）は、前記バッテリー（１６）とビューフアインダー（１２）とを含み、前記本体（１）の投影面積と略一致するように配置され、
前記カメラ部（５）の対物レンズ（７）を本体の上方に位置させる撮影姿勢において、前記バッテリ（１６）は前記他方の最も広い面の下部に配置され、前記ビューフアインダー（１２）は前記他方の最も広い面の上部に配置され、
前記ビューフアインダー（１２）は、その長手方向を前記入射光に沿って配置され、かつ前記接眼レンズを前記カメラ部（５）の対物レンズ（７）の反対側に位置するように設けられていることを特徴とするカメラ一体型ＶＴＲ。」（以下「刊行物発明」という。）が記載されていると認められる。
　
３．対比
　本願発明と刊行物発明を対比すると、刊行物発明の「ＶＴＲ部（６）」、「カメラ部（５）」、「ビューファインダ（１２）」、「バッテリー（１６）」、「開閉蓋体（１１）」、「グリップ体（４）」、「カメラ一体型ＶＴＲ」は、それぞれ、本願発明の「デッキ部」、「カメラ部」、「ビューファインダ部」、「バッテリー部」、「開閉蓋」、「保持部分」、「撮像記録再生装置」に相当する。
　また、刊行物発明の対物レンズ（７）はカメラ部（５）の光入射部に設けられ、ＶＴＲ部（６）とカメラ部（５）が収納されたほぼ扁平な直方体形状の本体（１）の最も広い面から見て、本体の周側面に垂直な方向から入射する入射光を撮像部に導いていることは明らかであり、さらに、刊行物発明のビューファインダ（１２）における接眼レンズが画像を表示していることは明らかである。
　したがって、両者は「デッキ部とカメラ部とからなるほぼ扁平な直方体形状部、長手方向の一方に表示部を備えたビューファインダー部、及び、ほぼ扁平な直方体形状のバッテリー部を含む撮像記録再生装置において、
前記カメラ部の光入射部に設けられた光学手段は前記デッキ部とカメラ部とからなるほぼ扁平な直方体形状部の周側面に垂直な方向から入射する入射光を撮像部に導くように配置され、
前記デッキ部とカメラ部とからなるほぼ扁平な直方体形状部は、最も広い面の一方に記録媒体を出し入れする開閉蓋を備え、他方の最も広い面にこの撮像記録再生装置を手で保持することが可能な保持部分を設け、
前記保持部分は、前記バッテリー部とビューフアインダー部とを含み、
前記光学手段を前記デッキ部とカメラ部とからなるほぼ扁平な直方体形状部の周側面の上方に位置させる撮影姿勢において、前記バッテリ部は前記他方の最も広い面の下部に配置され、前記ビューフアインダー部は前記他方の最も広い面の上部に配置され、
前記ビューフアインダー部は、その長手方向を前記入射光に沿って配置され、かつ前記表示部を前記光学手段の反対側に位置するように設けられていることを特徴とする撮像記録再生装置。」
である点で一致し、次の３点で相違しているものと認められる。
（１）カメラ部が、本願発明は長手方向の一方に撮像部、他方に光軸変更手段、前記撮像部と前記光軸変更手段との間にレンズブロックが配置されるように構成され、前記光軸変更手段は、前記カメラ部が配置されるほぼ扁平な直方体形状部の周側面に垂直な方向から入射する入射光を屈曲させて前記撮像部に導くように配置されているのに対し、刊行物発明は光入射部に対物レンズが配置されるものの、他の構成については記載されていない点。
（２）デッキ部とカメラ部とからなるほぼ扁平な直方体形状部が、本願発明はほぼ扁平な直方体形状のデッキ部と、前記デッキ部の最も広い面から見て、前記デッキ部の周側面にその長手方向の一辺を接するように前記カメラ部を配置しているのに対し、刊行物発明はデッキ部とカメラ部の形状、配置が明記されていない点。
（３）保持部分が、本願発明はデッキ部の投影面積と略一致するように配置され、デッキ部に設けられているのに対し、刊行物発明はデッキ部とカメラ部とからなるほぼ扁平な直方体形状部の投影面積と略一致するように配置され、デッキ部とカメラ部とからなるほぼ扁平な直方体形状部に設けられている点。
　
４．当審の判断
　上記相違点について検討する。
　相違点（１）について
　ビデオカメラにおいて、カメラ本体の前後の長さを短縮し、コンパクトな構成とするために、カメラに光軸変更手段を設け、入射光を屈曲させて撮像部に導くように前記光軸変更手段、レンズ部、撮像部を配置することは、例えば、前置審査における拒絶の理由に引用された実願昭５７−１６４８７５号（実開昭５９−６９５６５号）のマイクロフィルム、実願昭５４−８１２０５号（実開昭５６−１６４号）のマイクロフィルムにみられるように周知の事項であり、刊行物発明が携帯型の装置であることを考慮すると、前後の長さを短縮し、コンパクトなものとするために、刊行物発明に前記周知の事項を適用し、そのカメラ部を、長手方向に撮像部、他方に光軸変更手段、前記撮像部と前記光軸変更手段との間にレンズブロックを配置した構成とし、前記光軸変更手段を光入射部に設け、前記カメラ部が配置されるほぼ扁平な直方体形状部の周側面に垂直な方向から入射する入射光を屈曲させて前記撮像部に導くように配置することは、当業者が格別の創意工夫を要することなくなし得ることである。
　相違点（２）について
　カメラ部に上記（１）のような構成を採用した場合、刊行物発明が携帯型の装置であることを考慮すると、装置をコンパクトで扁平なものとするために、刊行物発明のデッキ部とカメラ部とからなるほぼ扁平な直方体形状部を、デッキ部をほぼ扁平な直方体形状とし、当該デッキ部の最も広い面から見て、前記デッキ部の周側面にその長手方向の一辺を接するようにカメラ部を配置する構成とすることは、当業者が格別の困難性なく想起し得ることである。
　相違点（３）について
　保持部材をどの程度の大きさにし、どこに設けるかは、装置の大きさ、保持のしやすさ等を勘案して、当業者が適宜決定する単なる設計的事項に過ぎず、刊行物発明のデッキ部とカメラ部とからなるほぼ扁平な直方体形状部の投影面積と略一致するように配置され、デッキ部とカメラ部とからなるほぼ扁平な直方体形状部に設けられている保持部材を、デッキ部の投影面積と略一致するように配置し、デッキ部に設けることは、当業者が適宜なし得ることである。
　そして、上記の相違点に基づく本願発明の効果に格別顕著なものは認められない。
　
５．むすび
　したがって、本願発明は、刊行物発明に基づいて当業者が容易に発明をすることができたものであるので、特許法第２９条第２項の規定により特許を受けることができない。
　よって、結論のとおり審決する。